(57)【要約】【課題】  本発明は、イムノクロマトグラフィー用キットを用い、安価で簡便に、抗原試料を定量する方法を提供することを目的とする。【解決手段】  イムノクロマトグラフィー用担体を有し、前記担体上に、抗原試料を添加するための抗原添加部、第１の標識抗体と前記抗原試料の複合体に結合する第２の抗体が固定化された検出ライン、及び第２の抗体が固定化された対照ラインをこの順で有するイムノクロマトグラフィー用キットを用い、前記複合体を前記抗原添加部から前記対照ラインまで、前記担体上を展開させた後、前記標識によって得られた検出ラインにおける第１のシグナル強度及び対照ラインにおける第２のシグナル強度を測定する工程と、第１のシグナル強度と、第１のシグナル強度と第２のシグナル強度の和と、の比率を算出する工程と、前記比率から、前記抗原試料の量を算出する工程と、を含む定量方法とする。【選択図】  なし【特許請求の範囲】
【請求項１】
イムノクロマトグラフィー用キットにおける、抗原試料の定量方法であって、
前記キットは、イムノクロマトグラフィー用担体を有し、前記担体上に、抗原試料を添加するための抗原添加部、第１の標識抗体と前記抗原試料の複合体に結合する第２の抗体が固定化された検出ライン、及び第２の抗体が固定化された対照ラインをこの順で有し、
前記複合体を前記抗原添加部から前記対照ラインまで、前記担体上を展開させた後、前記標識によって得られた検出ラインにおける第１のシグナル強度及び対照ラインにおける第２のシグナル強度を測定する工程と、
第１のシグナル強度と、第１のシグナル強度と第２のシグナル強度の和と、の比率を算出する工程と、
前記比率から、前記抗原試料の量を算出する工程と、
を含む定量方法。
【請求項２】
既知の抗原量を有する、前記抗原試料と同じ複数の抗原を用いて算出した、第１のシグナル強度と、第１のシグナル強度と第２のシグナル強度の和と、の比率を用いて、予め作成された、前記抗原量と前記比率の関係を表す標準曲線を用いて、前記抗原試料の量が算出されることを特徴とする請求項１に記載の定量方法。
【請求項３】
前記複合体が前記担体上を前記対照ラインまで展開した後、前記キットの画像データを得る工程をさらに含み、
前記画像データにおいて、各シグナルにおける所定の濃度以上のピクセルにおける濃度の総和を算出することによって、各シグナル強度が測定されることを特徴とする請求項１または２に記載の定量方法。
【請求項４】
前記画像データは、スキャナーまたはデジタルカメラを用いて得られることを特徴とする請求項３に記載の定量方法。
【発明の詳細な説明】
【技術分野】
【０００１】
本発明は、抗原試料の定量方法に関する。
【背景技術】
【０００２】
近年、インフルエンザウイルス検査、妊娠検査などに、簡便なイムノクロマトグラフィー用キットが用いられている。このキットは、簡便性が重視され、定性的に抗原を検出できるが、定量性を求めようとすると、高価なイムノクロマトリーダーなどの検出装置が必要であった。そこで、キットを用いて得られた結果を画像データとして処理する際には、バックグラウンド（背景色）の影響を除去するなどの工夫がなされてきた（例えば、特許文献１参照）。
【先行技術文献】
【特許文献】
【０００３】
【特許文献１】特開２０００−３３８１０６号公報
【発明の概要】
【発明が解決しようとする課題】
【０００４】
本発明は、イムノクロマトグラフィー用キットを用い、安価で簡便に、抗原試料を定量する方法を提供することを目的とする。
【課題を解決するための手段】
【０００５】
本発明の一実施態様は、イムノクロマトグラフィー用キットにおける、抗原試料の定量方法であって、前記キットは、イムノクロマトグラフィー用担体を有し、前記担体上に、抗原試料を添加するための抗原添加部、第１の標識抗体と前記抗原試料の複合体に結合する第２の抗体が固定化された検出ライン、及び第２の抗体が固定化された対照ラインをこの順で有し、前記複合体を前記抗原添加部から前記対照ラインまで、前記担体上を展開させた後、前記標識によって得られた検出ラインにおける第１のシグナル強度及び対照ラインにおける第２のシグナル強度を測定する工程と、第１のシグナル強度と、第１のシグナル強度と第２のシグナル強度の和と、の比率を算出する工程と、前記比率から、前記抗原試料の量を算出する工程と、を含む。本定量方法において、既知の抗原量を有する、前記抗原試料と同じ複数の抗原を用いて算出した、第１のシグナル強度と、第１のシグナル強度と第２のシグナル強度の和と、の比率を用いて、予め作成された、前記抗原量と前記比率の関係を表す標準曲線を用いて、前記抗原試料の量が算出されてもよい。また、本定量方法は、前記複合体が前記担体上を前記対照ラインまで展開した後、前記キットの画像データを得る工程をさらに含み、前記画像データにおいて、各シグナルにおける所定の濃度以上のピクセルにおける濃度の総和を算出することによって、各シグナル強度が測定されてもよい。なお、前記画像データは、スキャナーまたはデジタルカメラを用いて得られることが好ましい。
【発明の効果】
【０００６】
本発明によって、イムノクロマトグラフィー用キットを用い、安価で簡便に、抗原試料を定量することができるようになった。
【図面の簡単な説明】
【０００７】
【図１】本発明の一実施態様における、イムノクロマトグラフィー用キットの一例を示す図である。
【図２】本発明の一実施態様において、イムノクロマトグラフィー用キットを用いて得られたシグナルをグラフ化した図である。
【図３】本発明の一実施態様において、イムノクロマトグラフィー用キットを用いて得られたテストラインにおけるシグナル強度と、テストラインにおけるシグナル強度とコントロールラインにおけるシグナル強度の和と、の比率を定量化し、抗原量との相関を表した図である。
【図４】本発明の一実施態様において、本発明の画像解析法と従来の吸光度法との結果を比較した図である。
【発明を実施するための形態】
【０００８】
以下、上記知見に基づき完成した本発明の実施の形態を、添付図面を用いて詳細に説明する。なお、本発明の目的、特徴、利点、および、そのアイデアは、本明細書の記載により、当業者には明らかであり、本明細書の記載から、当業者であれば容易に本発明を再現できる。以下に記載された発明の実施の形態及び具体的な実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【０００９】
＝＝イムノクロマトグラフィー用キットの構造＝＝
本発明の、抗原試料の定量方法に用いられるイムノクロマトグラフィー用キットの一例を図１に示す。
【００１０】
定量する対象の抗原試料となる抗原は、特異的に結合して本発明の定量に使用できる抗体が得られるものであれば、特に限定されず、例えば、低分子化合物、糖やタンパク質などの高分子化合物、金属などが挙げられる。
【００１１】
イムノクロマトグラフィー用キット１は、イムノクロマトグラフィー用担体２を有し、前記担体上に、抗原試料を添加するための抗原添加部３、第１の標識抗体と前記抗原試料の複合体に結合する第２の抗体が固定化された検出ライン４、及び第２の抗体が固定化された対照ライン５をここの順で有する。抗原添加部３と検出ライン４の間に、第１の標識抗体を供給するための試薬供給部６が設けられてもよい。抗原添加部３の材料としては、ガラス繊維、セルロース濾紙などの濾紙、ポリウレタン、ポリアセテート、酢酸セルロース、ナイロン、及び綿布のような吸水性の多孔性のものが用いられ、通常パッド状に形成される。試薬供給部６の材料としては、ガラス繊維、濾紙、吸水紙、フェルト状繊維体、不織布、脱脂綿のような吸水性の多孔性のものが用いられ、通常パッド状に形成される。イムノクロマトグラフィー用担体２は、イムノクロマトグラフィーに用いられる多孔性膜であれば、特に限定されず、例えば、ニトロセルロース膜、セルロース膜、アセチルセルロース膜、ポリスルホン膜、ポリエーテルスルホン膜、ナイロン膜、ガラス繊維、不織布、布、または糸などが挙げられる。また、イムノクロマトグラフィー用担体１の展開方向の下流側に、吸水性材料からなる吸水パッド７が設けられていてもよい。この吸水性材料としては、例えば、ニトロセルロース、不織布、布、セルロースアセテート、紙などが挙げられる。
【００１２】
第１の標識抗体に結合している標識物質は、例えば、金コロイド、酵素、蛍光物質などが挙げられるが、簡便さの面で、金コロイドが好ましい。なお、酵素の例としては、ペルオキシダーゼ、アルカリホスファターゼ、グルコースオキシダーゼなどが挙げられ、これらは、それぞれ単独でまたは２種以上を混合して用いることができる。
【００１３】
第１の標識抗体は、抗原試料に結合するものであれば特に限定されないが、その結合の特異性が高いほど好ましい。第２の抗体は、第１の標識抗体と抗原試料の複合体に結合するものであれば特に限定されないが、その結合の特異性が高いほど好ましく、抗原試料に対する抗体であることが好ましく、第１の抗体と同じであってもよいが、標識の検出を阻害してはならない。なお、第２の抗体は、イムノクロマトグラフィー用担体２の検出ライン４及び対照ライン５に固定化されているが、抗原試料が流れる方向と垂直な線状に固定化されていることが好ましい。検出ライン４に固定化されている第２の抗体の量は、特に限定されないが、抗原試料に結合した第１の標識抗体を捕捉し、標識による発色が検出できる量であることが好ましい。対照ライン５に固定化されている第２の抗体の量は、検出ラインに捕捉されなかった第１の標識抗体を全て捕捉できる量であることが好ましい。
【００１４】
＝＝抗原試料の定量方法＝＝
上述したイムノクロマトグラフィー用キット１を用いて、抗原試料の定量方法の一例を詳述する。
【００１５】
まず、試薬供給部６を設けない場合、複数の既知量の、抗原試料と同じ抗原を、第１の標識抗体と混合し、抗原と第１の標識抗体を結合させ、それらの複合体を作製する。この複合体を、イムノクロマトグラフィー用キット１上の抗原添加部３に添加する。抗原と第１の標識抗体の複合体は、複合体が含まれている液体成分を展開溶液とする毛管現象によって、イムノクロマトグラフィー用担体２上を対照ライン５まで展開するが、展開は対照ライン５を超えても構わない。吸水パッド７を設けると、この展開速度を速めるのに役立つ。
【００１６】
試薬供給部６を設ける場合、予め、第１の標識抗体を、固定化せずに移動できる状態で、試薬供給部６に含ませておく。抗原を抗原添加部３に添加すると、溶液の展開と共に抗原が移動し、試薬供給部６で複合体が形成され、溶液の展開とともに移動することになる。
【００１７】
展開溶液が検出ライン４及び対照ライン５を通過する時、展開溶液中の複合体が、各ラインに固定化されている第２の抗体に捕捉される。対照ライン５には、多量の抗体が固定化されているので、検出ライン４に捕捉されなかった第１の標識抗体を事実上全て捕捉する。
【００１８】
その後、標識が酵素の場合、基質を検出ライ４ン及び対照ライン５に添加してシグナルを発色させる。簡便に発色できるように、基質溶液を滴下するのが好ましい。標識が金コロイドの場合、検出ライン４及び対照ライン５で濃縮されて可視化する。
【００１９】
このようにして得られた、検出ライン４における第１のシグナル強度及び対照ライン５における第２のシグナル強度を測定する。測定には、イムノクロマトリーダーを用いてもよいが、以下のように行なうのが簡便である。まず、スキャナーまたはデジタルカメラを用いて、各シグナルの画像データを作製する。画像データは、特定の範囲の波長の色を抽出する方がシグナル強度測定の精度が高まるので、グレースケールであることが好ましい。そして、画像データにおいて、各シグナルにおける所定の濃度以上のピクセルについて、濃度の総和を算出し、各シグナルの強度を測定する。例えば、画像解析ソフト（Scion image またはNIH Imageなど）を用いて、図２のようにシグナルの強度をグラフ化し、一定レベル以上の部分の山の面積を測定すればよい。そして、第１のシグナル強度と第２のシグナル強度の和を計算し、第１のシグナル強度と和の比率を算出し、図３のように、用いた抗原量と算出した比率の相関をグラフ化し、標準曲線とする。
【００２０】
次に、定量したい抗原試料について、標準曲線を作製した場合と同様にして、第１のシグナル強度と、第１のシグナル強度と第２のシグナル強度の和と、の比率を算出する。そして、予め作製した標準曲線を用いて、抗原試料の濃度を算出することができる。
【実施例】
【００２１】
まず、７．７ｃｍ  ｘ  ２．０ｃｍ（厚さ０．５ｃｍ）のムラサキイガイ付着期幼生検出用イムノクロマトグラフィー用キット１を作製し、一端から、１．５ｃｍ、４．０ｃｍ、４．５ｃｍの部位を、抗原試料滴下部位３、テストライン４（上記検出ラインに相当）、コントロールライン５（上記対照ラインに相当）とし、テストライン４及びコントロールライン５には、それぞれ抗ムラサキイガイ付着期幼生モノクローナル抗体  ０．７５μｇ及びマウス抗ＩｇＧ抗体（Mouse,Goat-Poly）０．３μｇをライン塗布機（BioDot 日本カンタム・デザイン株式会社製）により直線状にメンブレーンに塗布し、乾燥させた。また試薬パッドには金コロイド標識した抗ムラサキイガイ付着期幼生モノクローナル抗体０．６１μｇ（金コロイドを含まない重量として）を均等に塗布し、乾燥させた。
【００２２】
一方、飼育下で得られたムラサキイガイ付着期幼生１、１０、および１００個体を、１ｍＬの海水を入れた１５ｍＬ遠沈管にとり、ホモジナイザーにより破砕した。５分間静置した後、上清部分０．１ｍＬを抗原試料とした。なお、コントロールとして、幼生抽出液の入っていない海水０．１ｍＬを用いた。これらの抗原試料を抗原試料滴下パッド３に滴下し、担体２上をテストラインまで展開させた。その後、シグナルが得られたキット１の検出枠部分をスキャナー（canoscan 9950F、キャノン株式会社製）で撮影し（画像解像度1200dpi、グレースケール）、画像ファイル（tiffファイル）を作製した。その後、画像解析ソフト（Socion Image）でシグナル強度をグラフ化した。その一例を図２（Ａ，Ｂ）に示す。Ｂでは、目視では観察できないシグナル（点線で囲われた部分）が検出されており、本方法の感度が高いことを示している。
【００２３】
そして、各抗原試料について解析を行ったところ、表１に示すようなシグナル強度が得られた（cont：コントロールラインのシグナル強度、test：テストラインのシグナル強度）。その結果を図３にグラフ化した。
【００２４】
一方、シグナルが得られたキットをイムノクロマトリーダーでテストラインのみの吸光度を測定し（吸光度法）、その結果を、本発明の画像解析法の結果とともに図４にグラフ化した。なお、表１及び図４に記載の本発明の画像解析法によるシグナル強度は、イムノクロマトリーダーの値と直接比較できるように、生データを２７０倍した値を記載した。
【表１】
2013205374.tif 000002
【００２５】
このようにして作製できる標準曲線を用いれば、目的とする抗原試料を簡便に定量できる。
【符号の説明】
【００２６】
１  イムノクロマトグラフィー用キット
２  イムノクロマトグラフィー用担体
３  抗原試料滴下パッド（抗原添加部）
４  テストライン（検出ライン）
５  コントロールライン（対照ライン）
６  試薬パッド（試薬供給部）
７  吸水パッド
【図１】
2013205374.tif 000003
【図２】
2013205374.tif 000004
【図３】
2013205374.tif 000005
【図４】
2013205374.tif 000006